(57)【要約】【課題】容易に作動しやすいディスペンサを提供する。【解決手段】本発明は、特に食用錠剤のためのディスペンサ（１）に関する。ディスペンサ（１）は、複数の錠剤を収容するための容器が設けられ、押しボタン（３）がハウジング（２）上に配置されたハウジング（２）と、押しボタン（３）は、開始位置まで少なくとも一つのバネ（３１）を介してプレテンションされており、ハウジング（２）内に配置され、閉鎖要素（１０）を介して閉じられることができる取出口（４）と、を備える。閉鎖要素（１０）は、少なくとも部分的に取出口（４）を開放するために、押しボタン（３）を押すことによって回転可能である。これにより、錠剤は、押しボタン（３）を作動させることによって、ディスペンサ（１）から容易に取り出されることができる。【選択図】図１
2016511202.tif 000002
【特許請求の範囲】
【請求項１】
特に食用錠剤のための、ディスペンサ（１）であって、
複数の錠剤を収容するための容器が設けられたハウジング（２）と、開始位置まで少なくとも一つのバネ（３１）を介してプレテンションされている、押しボタン（３）がハウジング（２）上に配置されており、
前記ハウジング（２）内に配置され、閉鎖要素（１０）を介して閉じられることができる取出口（４）と、を備え、
前記閉鎖要素（１０）は、少なくとも部分的に前記取出口（４）を開放するために、前記押しボタン（３）を押すことによって回転可能であることを特徴とする、ディスペンサ（１）。
【請求項２】
前記閉鎖要素（１０）は、軸心（１４）周りに回転可能に保持されていることを特徴とする、請求項１に記載のディスペンサ（１）。
【請求項３】
螺旋形状のカーブガイド（１３）は、前記押しボタン（３）の直進運動を前記閉鎖要素（１０）の回転運動に伝導するために、前記押しボタン（３）と前記閉鎖要素（１０）との間に設けられていることを特徴とする、請求項１又は２に記載のディスペンサ（１）。
【請求項４】
ガイド要素（７）は、前記ハウジング（２）上に設けられ、それによって、前記押しボタン（３）は、直線の運動方向に捻れないように移動可能であることを特徴とする、請求項１〜３の何れかに記載のディスペンサ（１）。
【請求項５】
前記螺旋形状のカーブガイド（１３）を有する回転可能な駆動要素（１２）は、前記ガイド要素（７）の周りに配置されていることを特徴とする、請求項４に記載のディスペンサ（１）。
【請求項６】
閉鎖フラップは、前記駆動要素（１２）上の径方向に突出するエクステンションアーム（１１）上に、閉鎖要素（１０）として設けられていることを特徴とする、請求項５に記載のディスペンサ（１）。
【請求項７】
前記閉鎖要素（１０）は、隣接して配置された前記ハウジング（２）に沿って湾曲されていることを特徴とする、請求項１〜６の何れかに記載のディスペンサ（１）。
【請求項８】
前記ハウジング（２）は、平面視において、略円形に設けられ、前記押しボタン（３）は、前記ハウジング（２）内に同心に設けられていることを特徴とする、請求項１〜７の何れかに記載のディスペンサ（１）。
【請求項９】
前記ハウジング（２）は、前記押しボタン（３）を有する第一ハウジング部（２ａ）と、前記取出口（４）を有する第二ハウジング部（２ｂ）と、を備えることを特徴とする、請求項１〜８の何れかに記載のディスペンサ（１）。
【請求項１０】
前記ハウジング（２）は、金属及び／又はプラスチック製であることを特徴とする、請求項１〜９の何れかに記載のディスペンサ（１）。
【発明の詳細な説明】
【技術分野】
【０００１】
本発明は、特に食用錠剤のための、ディスペンサであって、複数の錠剤を収容するための容器が設けられたハウジングと、開始位置まで少なくとも一つのバネを介してプレテンションされている、押しボタンがハウジング上に配置されており、ハウジング内に配置され、閉鎖要素を介して閉じられることができる取出口と、を備える、ディスペンサに関する。
【背景技術】
【０００２】
米国特許第２，７２２，３０９号明細書（特許文献１）には、錠剤のためのディスペンサが開示されている。スライドが、箱状ハウジング内に設けられ、スライドは、取出口上で開放するために変位可能である。次に、スライドは、錠剤を取り出した後、閉鎖位置まで戻されることができる。
【先行技術文献】
【特許文献】
【０００３】
【特許文献１】米国特許第２，７２２，３０９号明細書
【発明の概要】
【発明が解決しようとする課題】
【０００４】
そのようなスライドの作動は、それが、摩擦力に起因して容易に詰まり得るとともに、狭いハンドル部は、指によって正確に触れられる必要があるため、比較的面倒である。片手のみでの作動は、しばしば極めて困難であり、スライドは、さらに、開方向において及び閉方向において変位される必要がある。
【０００５】
従って、上記問題を避けるとともに、作動しやすいディスペンサを提供することが、本発明の目的である。
【課題を解決するための手段】
【０００６】
本目的は、請求項１の特徴を有するディスペンサによって達成される。
【０００７】
本発明に従って、ディスペンサは、ハウジング上に押しボタンを備え、それによって、閉鎖要素は、少なくとも部分的に取出口を開放するために、押すことによって旋回可能であり、その結果、一つ又は幾つかの錠剤が取り出されることができる。押しボタンを押した後、押しボタンは、少なくとも一つのバネによって、再び開始位置まで戻らされることができ、その結果、取出口は、閉鎖要素によって再び自動的に閉じられる。結果的に、使用者は、開動作のために、押しボタンを押すための力を付与さえすればよく、閉動作は、バネによって自動的に生じ、作動を促進させる。さらに、押しボタンは、単に押すことによって作動されることができ、押しボタンは、より長い変位の経路に沿って押し込まれる必要がない。
【０００８】
好ましい実施形態に従って、閉鎖要素は、軸線回りに回転可能に取り付けられる。軸線は、ハウジングの中央領域に、特に、押しボタンの領域に、配置されている。
【０００９】
好ましくは、螺旋形状のカーブガイドは、押しボタンの直進運動を閉鎖要素の回転運動に伝導するために、押しボタンを介して閉鎖要素を作動させるために設けられている。閉鎖要素は、押しボタンの開始位置までの運動の間、反対方向に捩じられる。
【００１０】
好ましくは、ガイドウェブは、ハウジング上に設けられ、それによって、押しボタンは、押しボタンが直進運動の間に回転しないように、移動の方向であるが、捻れないように移動可能に案内される。このようにして、押しボタンが押される場合、押圧している指と押しボタンとの間の摩擦力を生じる望ましくない回転運動は生じず、円滑な作動を許容することが保証される。
【００１１】
好ましくは、回転可能な駆動要素は、ガイドウェブの周りに設けられ、駆動要素は、螺旋形状のカーブガイドを備える。閉鎖フラップとして配置される閉鎖要素を有する径方向に突出するエクステンションアームは、駆動要素上に設けられることができる。その結果、ディスペンサは、例えば、押しボタンのみの、ごくわずかの構成要素を用いて製造されることができ、閉鎖フラップを有する駆動要素は、ハウジングに加えて設けられることができ、その結果、二つの部品のみが、ハウジングに加えて要求される。
【００１２】
閉鎖要素は、視覚的に訴える構成のために、隣接して配置されるハウジングに沿って湾曲されている。ハウジングは、例えば、円弧状の周方向湾曲を有するシェルの態様で配置されることができる。取出口が外周上に配置される場合、取出口及び閉鎖要素は、それぞれ湾曲して配置されることができる。
【００１３】
ハウジングは、平面視において、略円形に設けられている。押しボタンは、ハウジング内に同心に設けられている。押しボタンは、第一ハウジング部上に設けられている。取出口は、対向する第二ハウジング部上に設けられている。取出口は、押しボタンに関して径方向にオフセットして設けられることができ、その結果、作動機構は、閉鎖要素のためにハウジング内に容易に収容されることができる。
【００１４】
ディスペンサは、スイーツ、コーティング錠、チョコレート、キャンディ、タブレット又は他の固体等の錠剤を分配するために使用されることができる。
【図面の簡単な説明】
【００１５】
【図１】本発明に係るディスペンサの斜視図である。
【図２】図１のディスペンサの底面図である。
【図３Ａ】図１のディスペンサの第二ハウジング部を示す図である。
【図３Ｂ】図１のディスペンサの第二ハウジング部における図３Ａの一点鎖線に沿う断面図である。
【図４Ａ】図１のディスペンサの押しボタンの平面図である。
【図４Ｂ】図１のディスペンサの押しボタンの側面図である。
【図４Ｃ】図１のディスペンサの押しボタンの背面図である。
【図４Ｄ】図１のディスペンサの押しボタンの断面図である。
【図５Ａ】図１のディスペンサの閉鎖要素及び駆動要素を示す図である。
【図５Ｂ】図１のディスペンサの閉鎖要素及び駆動要素を閉鎖要素側から見た図である。
【図５Ｃ】図１のディスペンサの閉鎖要素及び駆動要素を示す側面図である。
【図５Ｄ】図１のディスペンサの閉鎖要素及び駆動要素を駆動要素側から見た図である。
【図５Ｅ】図１のディスペンサの閉鎖要素及び駆動要素を示す図である。
【発明を実施するための形態】
【００１６】
以下、添付図面に示される一実施形態を参照して、本発明について詳細に説明する。
【００１７】
ディスペンサ１は、平面視において、略円形であるハウジング２を備える。ハウジング２は、また、任意の他の幾何形状を有することができ、直方体、球状又は立方体であり得る。押しボタン３は、ハウジング２の表面の中央領域に、略同心に配置されている。押しボタン３は、第一ハウジング部２ａにおいて圧入方向に、移動可能に案内される。第二ハウジング部２ｂは、第一ハウジング部２ａから外方に向く側に配置され、その上に、取出口４は、閉鎖要素１０を介して閉鎖可能に設けられている。取出口４は、ハウジング２の円周方向に中心から離れて配置されている。押しボタン３は、押しボタン３を押すことによって、閉鎖位置から閉鎖要素１０を移動させる場合、一つ又は幾つかの錠剤は、取出口４を開放することによって、ハウジング２内部の容器から取り出されることができる。
【００１８】
図３Ａ及び３Ｂは、シェルの態様で配置されるとともに、外縁に隣接する基部６上に取出口４を備える第二ハウジング部２ｂを示す。ガイドウェブは、基部６の中央領域にガイド要素７として設けられている。ガイドウェブは、第二ハウジング部２ｂの内部空間内に突出し、押しボタン３を案内するために使用される。ガイドウェブは、その断面視において長方形状に設けられ、その結果、押しボタン３は、変位可能であるが、捻れないように案内される。
【００１９】
図４Ａ〜４Ｄに、押しボタン３を詳細に示す。押しボタン３は、外側から視認可能であり、ハウジング２内に押しボタン３を押すために、指を介して作動可能な湾曲面３０を備える。環状壁部３３は湾曲面３０に隣接して設けられ、第一ハウジング部２ａ上の開口内部の横方向案内のために設けられる。
【００２０】
三つのスプリングウェブ３１は、押しボタン３と一体的に設けられ、スプリングウェブ３１は、折り曲げ脚部３２を備える。折り曲げ脚部３２は、第二ハウジング部２ｂの基部６上に支持される。押しボタン３が内向きに押される場合、折り曲げ脚部３２は、径方向外側に基部６に沿ってスライドし、それに伴って、スプリングウェブ３１を曲げる。これによって、押しボタン３が押し込まれる場合のスプリングウェブ３１による復元力が生じる。スプリングウェブ３１は、押しボタン３が完全な作動の後に開始位置に戻されることを保証する。
【００２１】
突起部３４は、さらに、押しボタン３の環状壁部３３上に設けられる。突起部３４は、第一ハウジング部２ａ上の係止部と協働するため、押しボタン３の外側への最大移動が制限される。これにより、押しボタン３がハウジング２から離れ得ることを防止される。
【００２２】
駆動要素１２を作動するためのウェブ３５は、さらに、押しボタン３上に設けられる。ウェブ３５は、環状壁部３３の伸長部に設けられる。
【００２３】
ガイド部３６は、さらに、押しボタン３の中央領域に設けられ、その内部にスリット３７が設けられる。スリット３７は、第二ハウジング部２ｂ上にウェブ形状のガイド要素７を収容するために使用され、それによって、押しボタン３は、スリット３７内にガイド要素７を挿入することによって、ガイド要素７上で変位可能であるが、捻れないように案内される。
【００２４】
図５Ａ〜５Ｅは、例えば、プラスチック製の射出成型品として一体的に設けられる駆動要素１２を有する閉鎖要素１０を示す。閉鎖要素１０は、閉鎖フラップとして設けられ、取出口４に隣接する領域内に、第二ハウジング部２ｂの曲率に従って配置されることができ、その結果、閉鎖要素１０は、角度のある形状又は円弧状で配置されることができる。取出口４を覆うための閉鎖要素１０は、駆動要素１２に接続されるレバー形状のエクステンションアーム１１上に保持される。
【００２５】
駆動要素１２は、第二ハウジング部２ｂ上でガイド要素７の周りに配置され、そこに回転可能に取り付けられる内部開口１４を有するスリーブとして設けられる。螺旋形状のカーブガイド１３は、外側で駆動要素１２のスリーブ上に設けられ、その内部に、押しボタン３のウェブ３５が係合する。押しボタン３を押すことによって、ウェブ３５は、駆動要素１２上の螺旋形状の溝状カーブガイド１３内に押圧され、その結果、ウェブ３５は、ガイド要素７とともに内部開口１４を形成する軸線回りに回転させられる。これにより、閉鎖要素１０は、結果的に回転し、少なくとも部分的に取出口４を開放する。
【００２６】
端部１６を有する折り曲げウェブの形状の振動要素１５は、エクステンションアーム１１の領域内に設けられている。振動要素１５は、閉鎖要素１０の回転の間、ハウジング２内部の錠剤が閉鎖要素１０の運動を妨害しないことを保証し、それにも拘らず、錠剤が閉鎖要素１０の運動の経路を妨害する場合、使用者が、閉鎖要素１０の作動の後、再び錠剤の取り出しを可能とするために、まずハウジング２を振ることができるように、閉鎖要素１０は、閉鎖位置に留められる。端部１６を有する振動要素１５は、また、必要に応じて省略されることができる。
【００２７】
示される実施形態において、ハウジング２、押しボタン３及び閉鎖要素１０は、プラスチック製であり得る。また、例えば、第一ハウジング部２ａ及び／又は第二ハウジング部２ｂ等の、金属製のディスペンサ１の部品を製造することが可能である。押しボタン３には、また、金属製のキャップが設けられてもよく、より高品質の魅力を提供する。
【００２８】
螺旋形状のカーブガイド１３は、示される実施形態において、駆動要素１２上に設けられている。スリーブの内周上に螺旋形状のカーブガイド１３を設けること、又は異なる駆動機構を介して、押しボタン３の直進運動を閉鎖要素１０の回転運動に伝導することは、明らかに可能である。
【００２９】
本発明に係るディスペンサ１は、スイーツ、特に、キャンディ、コーティング錠、チョコレート、又は他の食用の錠剤形状の要素に特に適している。ディスペンサ１は、また、錠剤形状の要素を取り出す場合に使用者によって傾けられるか振られることができ、取り出す際に、詰まることによる問題を全く生じない。
【００３０】
示される実施形態において、スプリングウェブ３１は、開始位置まで押しボタン３をプレテンションするために、バネとして使用される。また、特定の開始位置まで押しボタン３をプレテンションするために、押しボタン３の内部に配置される、例えば、巻きバネ等の任意の他のバネ要素を設けることは、明らかに可能である。
【符号の説明】
【００３１】
１  ディスペンサ、２  ハウジング、２ａ  第一ハウジング部、２ｂ  第二ハウジング部、３  押しボタン、４  取出口、６  基部、７  ガイド要素、１０  閉鎖要素、１１  エクステンションアーム、１２  駆動要素、１３  カーブガイド、１４  開口、１５  振動要素、１６  端部、３０  湾曲面、３１  スプリングウェブ、３２  折り曲げ脚部、３３  環状壁部、３４  突起部、３５  ウェブ、３６  ガイド部、３７  スリット。
【図１】
2016511202.tif 000003
【図２】
2016511202.tif 000004
【図３Ａ】
2016511202.tif 000005
【図３Ｂ】
2016511202.tif 000006
【図４Ａ】
2016511202.tif 000007
【図４Ｂ】
2016511202.tif 000008
【図４Ｃ】
2016511202.tif 000009
【図４Ｄ】
2016511202.tif 000010
【図５Ａ】
2016511202.tif 000011
【図５Ｂ】
2016511202.tif 000012
【図５Ｃ】
2016511202.tif 000013
【図５Ｄ】
2016511202.tif 000014
【図５Ｅ】
2016511202.tif 000015
【国際調査報告】
2016511202.tif 000016
2016511202.tif 000017
2016511202.tif 000018
2016511202.tif 000019